(57)【要約】      （修正有）【課題】クッション性、保温性に優れた複層織物組織を提供する。【解決手段】経糸と緯糸で絡合された上側織物組織１と下側織物組織２と１以上の中間織物組織３と、上側及び下側織物組織に絡合され、上下の織物組織の間に存する中間織物組織３を支持する支持糸４からなる複層織物組織であって、支持糸４は上下の織物組織の経糸にそれぞれ直交して絡合され、中間織物組織３は、上記支持糸４で係止され上記上側織物組織１と上記下側織物組織２と上記中間織物組織３の間に空間αを形成する構造が形成され、かつ、上記支持糸４は織物組織の経糸方向に向かい、所定の間隔をおいて順次絡合されていることで、クッション性と保温性の確保を実現する。【選択図】図３
2009221617.tif 000002
【特許請求の範囲】
【請求項１】
経糸と緯糸で絡合された単層の織物組織である上側織物組織と下側織物組織と１以上の中間織物組織と、上記上側織物組織及び上記下側織物組織に絡合され、上側織物組織と下側織物組織との間に存する中間織物組織を支持する支持糸からなる複層織物組織であって、
上記支持糸は上記上側織物組織及び上記下側織物組織の経糸にそれぞれ直交して絡合され、
上記中間織物組織は上記支持糸で係止され、上記上側織物組織及び上記下側織物組織から所定の距離をおいて支持され、
上記上側織物組織と上記下側織物組織と上記中間織物組織の間に空間を形成する構造が形成され、
かつ、上記支持糸が、上記上側織物組織及び上記下側織物組織の経糸間を緯糸方向に向かい、上記支持糸同士が密接に隣接して、かつ、直線的に経糸に絡合されており、
上記支持糸は上記上側織物組織及び上記下側織物組織及び上記中間織物組織の経糸方向に向かい、所定の間隔をおいて順次絡合されていることを特徴とする複層織物組織
【発明の詳細な説明】
【技術分野】
【０００１】
本発明は、マットレスや座布団、クッション等の家具に好適な複層織物組織に関する。
【背景技術】
【０００２】
織物組織の先行技術には、特開２００６−２４１６０４号公報、特開２００６−２４１６０３号公報、特開平５−２８７６３５号公報がある。これらの織物組織は上側織物組織と下側織物組織を接結することでクッション性、保温性等を確保するアイデアである。
しかし、これら２重織物組織では、上側織物組織と下側織物組織間の空間が大きいために上下からの圧力に対して容易に織物組織が潰れ、また空間の体積が大きいために暖かい空気も容易に漏出してしまって、保温性も確保できないという問題があった。
【特許文献１】特開２００６−２４１６０４号公報
【特許文献２】特開２００６−２４１６０３号公報
【特許文献３】特開平５−２８７６３５号公報
【発明の開示】
【発明が解決しようとする課題】
【０００３】
本発明は、従来の織物組織に比して、よりクッション性、保温性に優れた複層織物組織を提供することを目的とする。
【課題を解決するための手段】
【０００４】
経糸と緯糸で絡合された単層の織物組織である上側織物組織と下側織物組織と１以上の中間織物組織と、上記上側織物組織及び上記下側織物組織に絡合され、上側織物組織と下側織物組織との間に存する中間織物組織を支持する支持糸からなる複層織物組織であって、上記支持糸は上記上側織物組織及び上記下側織物組織の経糸にそれぞれ直交して絡合され、上記中間織物組織は、上記支持糸で係止され、上記上側織物組織及び上記下側織物組織から所定の距離をおいて支持され、上記上側織物組織と上記下側織物組織と上記中間織物組織の間に空間を形成する構造が形成され、かつ、上記支持糸が、上記上側織物組織及び上記下側織物組織の経糸間を緯糸方向に向かい、上記支持糸同士が密接に隣接して、かつ、直線的に経糸に絡合されており、上記支持糸は上記上側織物組織及び上記下側織物組織及び上記中間織物組織の経糸方向に向かい、所定の間隔をおいて順次絡合されていることを特徴とする複層織物組織とした。
【発明の効果】
【０００５】
上述した複層織物組織は、前述の２重織物組織により生ずる空間に比して、支持糸が上側織物組織と下側織物組織にある経糸間を緯糸方向に密接に隣接して絡合されており、かつ経糸方向に一定間隔をおいて順次絡合されていること、及び複数の中間織物組織も支持糸を挿通され、上側織物組織と下側織物組織との間に係止されることから、多数の小体積の空間が生ずる構造になり、各空間がある程度密閉されたものになるため、すぐれた保温性を確保することができる。また、支持糸も、密接に隣接しているため強度も確保でき、よりすぐれたクッション性を確保することができる。
【発明を実施するための最良の形態】
【０００６】
図１は本発明の複層織物組織の一実施例の構造を示した正面図であり、図２は同じく本発明の複層織物組織の一実施例の構造を示した側面図であり、図３は同じく本発明の複層織物組織の一実施例の構造を示した斜視図である。
図中の符号のうち、１は上側織物組織、２は下側織物組織、３は中間織物組織、４は上側織物組織と下側織物組織の経糸と直交して絡合された支持糸であり、αは上側織物組織と下側織物組織と中間織物組織の間に形成された空間である。
【０００７】
このうち、各織物組織は、平織り、綾織り、しゅす織りのいずれによっても良い。
また、中間織物組織は、一つのみならず、複数あっても良い。
また、支持糸は、絹、ウール等の原料を問わないが、番手の大きい、太い糸が望ましい。
【０００８】
本発明の複層織物組織の製造方法は、一般の織り機を用いて実現することができる。すなわち、経糸に緯糸を交差させて製造する織物組織であれば、本願複層織物組織を制作することができる。
図１は平織りにより制作された複層織物組織である。上側織物組織１、下側織物組織２、上側織物組織１と下側織物組織２の間にある二つの織物組織が中間織物組織３である。
【０００９】
まず、平織りの四重織りを織り進める。四重織りを織り進めることで、上側織物組織１と下側織物組織２と中間織物組織３が順次形成されることになる。
任意の部分まで織り進めた後、緯糸方向に向かって上側織物組織１の端から経糸と経糸の間に支持糸４を引っ掛け、その後、さらに支持糸４を中間織物組織３に挿通する。
その後、支持糸４を下側織物組織２の経糸と経糸の間に引っ掛けて、さらに中間織物組織３に挿通した後に、上側織物組織１の経糸と経糸の間に引っ掛けることで各織物組織を支持糸で絡合する。
支持糸４は互いに密接に隣接し、かつ、緯糸方向に向かって直線的に、上側織物組織１及び絡下側織物組織２に絡合されていることが望ましい。
【００１０】
中間織物組織３は、支持糸４が挿通されることにより上側織物組織１と下側織物組織２との間に係止され、上側織物組織１と下側織物組織２から所定の距離をおいて支持される。  
当該距離は等間隔であることが望ましい。この構造により空間αが形成される。
上側織物組織１及び下側織物組織２、中間織物組織３のそれぞれ端の経糸から緯糸方向の反対側の経糸まで上記作業を繰り返す。
各織物組織の端まで支持糸と各織物組織の絡合がされると、平織りの４重織りを任意の部分まで織り進める。経糸方向に向かって、支持糸４同士の間隔は等間隔であることが望ましい。
【００１１】
ここで、支持糸４を経糸方向に向け、平織りの四重織りの作業の際に、支持糸４を経糸に絡合させ、任意の部分まで織り進めた後に、上側織物組織１又は下側織物組織２の経糸と経糸の間に支持糸４を引っ掛ける作業を再開してもよい。
上記の作業を順次続けることで、本願発明に係る複層織物組織を製造することができる。
【図面の簡単な説明】
【００１２】
【図１】本発明に係る複層織物組織の実施例を示す正面図である。
【図２】本発明に係る複層織物組織の実施例を示す側面図である。
【図３】本発明に係る複層織物組織の実施例を示す斜視図である。
【符号の説明】
【００１３】
１  上側織物組織
２  下側織物組織
３  中間織物組織
４  支持糸
α  空間
【図１】
2009221617.tif 000003
【図２】
2009221617.tif 000004
【図３】
2009221617.tif 000005